【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系を有するレンズ装置であり、前記撮影光学系により形成された光学像を光電変換して得られた信号を用いて前記撮影光学系のデフォーカス量を検出する撮像装置に対して取り外し可能に装着されるレンズ装置であって、
前記フォーカスレンズの単位移動量と前記光学像の変位量との関係を示すフォーカス敏感度に関する情報を記憶した記憶手段を有し、
前記フォーカス敏感度に関する情報は、像高に応じて異なる前記フォーカス敏感度の取得を可能とするための情報であることを特徴とするレンズ装置。
【請求項２】
前記フォーカス敏感度に関する情報を、像高に応じた前記フォーカス敏感度と前記デフォーカス量とを用いて前記フォーカスレンズの駆動量を算出する前記撮像装置に送信する敏感度送信手段を有することを特徴とする請求項１に記載のレンズ装置。
【請求項３】
前記デフォーカス量が検出されたときの像高に関する情報を前記撮像装置から受信し、前記フォーカス敏感度に関する情報を用いて、受信した前記像高における前記フォーカス敏感度を取得する敏感度取得手段と、
受信した前記像高における前記フォーカス敏感度を、該フォーカス敏感度と前記デフォーカス量を用いて前記フォーカスレンズの駆動量を算出する前記撮像装置に送信する敏感度送信手段とを有することを特徴とする請求項１に記載のレンズ装置。
【請求項４】
前記デフォーカス量が検出されたときの像高に関する情報を前記撮像装置から受信し、前記フォーカス敏感度に関する情報を用いて、受信した前記像高における前記フォーカス敏感度を取得する敏感度取得手段と、
受信した前記像高における前記フォーカス敏感度と前記撮像装置から受信した前記デフォーカス量とを用いて前記フォーカスレンズの駆動量を算出する駆動量算出手段とを有することを特徴とする請求項１に記載のレンズ装置。
【請求項５】
像高ｈにおける前記デフォーカス量をｄ（ｈ）とし、像高ｈにおける前記フォーカス敏感度をＳ（ｈ）とするとき、
前記駆動量算出手段は、前記フォーカスレンズの駆動量Ｘを、
Ｘ＝ｄ（ｈ）／Ｓ（ｈ）
により算出することを特徴とする請求項４に記載のレンズ装置。
【請求項６】
前記フォーカス敏感度に関する情報は、前記像高に応じた前記フォーカス敏感度を算出可能な関数または前記像高ごとの前記フォーカス敏感度を含むテーブルであることを特徴とする請求項１から５のいずれか１項に記載のレンズ装置。
【請求項７】
前記フォーカス敏感度に関する情報を記憶していることを示すフラグ情報を前記撮像装置に送信するフラグ送信手段を有することを特徴とする請求項１から６のいずれか１項に記載のレンズ装置。
【請求項８】
前記フォーカス敏感度に関する情報は、前記像高とアジムス方向とに応じて異なる前記フォーカス敏感度の取得を可能とするための情報であることを特徴とする請求項１から７のいずれか１項に記載のレンズ装置。
【請求項９】
フォーカスレンズを含む撮影光学系を有するレンズ装置が取り外し可能に装着され又は前記撮影光学系を一体に有し、前記撮影光学系により形成された光学像を光電変換して得られた信号を用いて前記撮影光学系のデフォーカス量を検出する撮像装置であって、
前記フォーカスレンズの単位移動量と前記光学像の変位量との関係を示し、かつ前記デフォーカス量を検出したときの像高に応じたフォーカス敏感度を取得する敏感度取得手段と、
前記像高に応じたフォーカス敏感度と前記デフォーカス量とを用いて前記フォーカスレンズの駆動量を算出する駆動量算出手段とを有することを特徴とする撮像装置。
【請求項１０】
前記敏感度取得手段は、
前記レンズ装置から、前記像高に応じて異なる前記フォーカス敏感度の取得を可能とするための前記フォーカス敏感度に関する情報を受信し、
受信した前記フォーカス敏感度に関する情報を用いて前記デフォーカス量を検出したときの像高に応じた前記フォーカス敏感度を取得することを特徴とする請求項９に記載の撮像装置。
【請求項１１】
前記敏感度取得手段は、
前記レンズ装置に、前記デフォーカス量を検出したときの像高に関する情報を送信し、
前記レンズ装置から、前記デフォーカス量を検出したときの像高に応じたフォーカス敏感度を取得することを特徴とする請求項９に記載の撮像装置。
【請求項１２】
像高ｈにおける前記デフォーカス量をｄ（ｈ）とし、像高ｈにおける前記フォーカス敏感度をＳ（ｈ）とするとき、
前記駆動量算出手段は、前記フォーカスレンズの駆動量Ｘを、
Ｘ＝ｄ（ｈ）／Ｓ（ｈ）
により算出することを特徴とする請求項９から１１のいずれか１項に記載の撮像装置。
【請求項１３】
フォーカスレンズを含む撮影光学系を有するレンズ装置が取り外し可能に装着され、前記撮影光学系により形成された光学像を光電変換して得られた信号を用いて該撮影光学系のデフォーカス量を検出する撮像装置であって、
前記フォーカスレンズの単位移動量と前記光学像の変位量との関係を示し、かつ像高に応じて異なるフォーカス敏感度の取得を可能とするための前記フォーカス敏感度に関する情報を記憶した前記レンズ装置に、前記デフォーカス量を検出したときの像高に関する情報を送信する像高送信手段を有することを特徴とする撮像装置。
【請求項１４】
フォーカスレンズを含む撮影光学系を有し、前記撮影光学系により形成された光学像を光電変換して得られた信号を用いて該撮影光学系のデフォーカス量を検出する撮像装置に対して取り外し可能に装着されるレンズ装置であって、前記フォーカスレンズの単位移動量と前記光学像の変位量との関係を示し、かつ像高に応じて異なるフォーカス敏感度の取得を可能とするための前記フォーカス敏感度に関する情報を記憶したレンズ装置のコンピュータに、
前記フォーカス敏感度に関する情報を、像高に応じた前記フォーカス敏感度と前記デフォーカス量とを用いて前記フォーカスレンズの駆動量を算出する前記撮像装置に送信する処理、
前記撮像装置から前記デフォーカス量が検出されたときの像高に関する情報を受信し、前記フォーカス敏感度に関する情報を用いて、受信した前記像高における前記フォーカス敏感度を取得し、取得した前記フォーカス敏感度を、該フォーカス敏感度と前記デフォーカス量を用いて前記フォーカスレンズの駆動量を算出する前記撮像装置に送信する処理、および
前記撮像装置から前記デフォーカス量が検出されたときの像高に関する情報を受信し、前記フォーカス敏感度に関する情報を用いて、受信した前記像高における前記フォーカス敏感度を取得し、取得した前記フォーカス敏感度と前記撮像装置から受信した前記デフォーカス量とを用いて前記フォーカスレンズの駆動量を算出する処理のうちいずれか１つを行わせることを特徴とするコンピュータプログラム。
【請求項１５】
フォーカスレンズを含む撮影光学系を有するレンズ装置が取り外し可能に装着され又は該撮影光学系を一体に有し、前記撮影光学系により形成された光学像を光電変換して得られた信号を用いて該撮影光学系のデフォーカス量を検出する撮像装置のコンピュータに、
前記フォーカスレンズの単位移動量と前記光学像の変位量との関係を示し、かつ前記デフォーカス量を検出したときの像高に応じたフォーカス敏感度を取得する処理と、
前記像高に応じたフォーカス敏感度と前記デフォーカス量とを用いて前記フォーカスレンズの駆動量を算出する処理とを行わせることを特徴とするコンピュータプログラム。
【請求項１６】
フォーカスレンズを含む撮影光学系を有するレンズ装置が取り外し可能に装着され、前記撮影光学系により形成された光学像を光電変換して得られた信号を用いて該撮影光学系のデフォーカス量を検出する撮像装置のコンピュータに、
前記フォーカスレンズの単位移動量と前記光学像の変位量との関係を示し、かつ像高に応じて異なるフォーカス敏感度の取得を可能とするための前記フォーカス敏感度に関する情報を記憶した前記レンズ装置に対して、前記デフォーカス量を検出したときの像高に関する情報を送信する処理を行わせることを特徴とするコンピュータプログラム。
【手続補正２】
【補正対象書類名】明細書
【補正対象項目名】発明の名称
【補正方法】変更
【補正の内容】
【発明の名称】レンズ装置および撮像装置
【手続補正３】
【補正対象書類名】明細書
【補正対象項目名】０００１
【補正方法】変更
【補正の内容】
【０００１】
本発明は、レンズ交換式撮像システムに用いられるレンズ装置および撮像装置に関する。
【手続補正４】
【補正対象書類名】明細書
【補正対象項目名】０００６
【補正方法】変更
【補正の内容】
【０００６】
本発明は、異なる像高間でデフォーカス量の差が存在する場合にいずれの像高においても良好な合焦状態が得られるようにすることが可能なレンズ装置および撮像装置を提供する。
【手続補正５】
【補正対象書類名】明細書
【補正対象項目名】０００７
【補正方法】変更
【補正の内容】
【０００７】
本発明の一側面としてのレンズ装置は、フォーカスレンズを含む撮影光学系を有するレンズ装置であり、撮影光学系により形成された光学像を光電変換して得られた信号を用いて該撮影光学系のデフォーカス量を検出する撮像装置に対して取り外し可能に装着される。該交換レンズ装置は、フォーカスレンズの単位移動量と光学像の変位量との関係を示すフォーカス敏感度に関する情報を記憶した記憶手段を有する。そして、フォーカス敏感度に関する情報は、像高に応じて異なるフォーカス敏感度の取得を可能とするための情報であることを特徴とする。
【手続補正６】
【補正対象書類名】明細書
【補正対象項目名】０００９
【補正方法】変更
【補正の内容】
【０００９】
本発明の他の一側面としての撮像装置は、フォーカスレンズを含む撮影光学系を有するレンズ装置が取り外し可能に装着され、撮影光学系により形成された光学像を光電変換して得られた信号を用いて該撮影光学系のデフォーカス量を検出する。該撮像装置は、フォーカスレンズの単位移動量と光学像の変位量との関係を示し、かつ像高に応じて異なるフォーカス敏感度の取得を可能とするためのフォーカス敏感度に関する情報を記憶したレンズ装置に、デフォーカス量を検出したときの像高に関する情報を送信する像高送信手段を有することを特徴とする。
【手続補正７】
【補正対象書類名】明細書
【補正対象項目名】００１０
【補正方法】変更
【補正の内容】
【００１０】
本発明の他の一側面としてのコンピュータプログラムは、フォーカスレンズを含む撮影光学系を有し、撮影光学系により形成された光学像を光電変換して得られた信号を用いて該撮影光学系のデフォーカス量を検出する撮像装置に対して取り外し可能に装着されるレンズ装置であって、フォーカスレンズの単位移動量と光学像の変位量との関係を示し、かつ像高に応じて異なるフォーカス敏感度の取得を可能とするためのフォーカス敏感度に関する情報を記憶したレンズ装置のコンピュータに、フォーカス敏感度に関する情報を、像高に応じたフォーカス敏感度とデフォーカス量とを用いてフォーカスレンズの駆動量を算出する撮像装置に送信する処理、撮像装置からデフォーカス量が検出された像高に関する情報を受信し、フォーカス敏感度に関する情報を用いて、受信した像高におけるフォーカス敏感度を取得し、取得したフォーカス敏感度を、該フォーカス敏感度とデフォーカス量を用いてフォーカスレンズの駆動量を算出する撮像装置に送信する処理、および撮像装置からデフォーカス量が検出された像高に関する情報を受信し、フォーカス敏感度に関する情報を用いて、受信した像高におけるフォーカス敏感度を取得し、取得したフォーカス敏感度と撮像装置から受信したデフォーカス量とを用いてフォーカスレンズの駆動量を算出する処理のうちいずれか１つを行わせることを特徴とする。
【手続補正８】
【補正対象書類名】明細書
【補正対象項目名】００１１
【補正方法】変更
【補正の内容】
【００１１】
本発明の他の一側面としてのコンピュータプログラムは、フォーカスレンズを含む撮影光学系を有するレンズ装置が取り外し可能に装着され又は該撮影光学系を有し、撮影光学系により形成された光学像を光電変換して得られた信号を用いて該撮影光学系のデフォーカス量を検出する撮像装置のコンピュータに、フォーカスレンズの単位移動量と光学像の変位量との関係を示し、かつデフォーカス量を検出したときの像高に応じたフォーカス敏感度を取得する処理と、像高に応じたフォーカス敏感度とデフォーカス量とを用いてフォーカスレンズの駆動量を算出する処理とを行わせることを特徴とする。
【手続補正９】
【補正対象書類名】明細書
【補正対象項目名】００１２
【補正方法】変更
【補正の内容】
【００１２】
本発明の他の一側面としてのコンピュータプログラムは、フォーカスレンズを含む撮影光学系を有するレンズ装置が取り外し可能に装着され、撮影光学系により形成された光学像を光電変換して得られた信号を用いて該撮影光学系のデフォーカス量を検出する撮像装置のコンピュータに、フォーカスレンズの単位移動量と光学像の変位量との関係を示し、かつ像高に応じて異なるフォーカス敏感度の取得を可能とするためのフォーカス敏感度に関する情報を記憶した交換レンズ装置に対して、デフォーカス量を検出したときの像高に関する情報を送信する処理を行わせることを特徴とする。
【手続補正１０】
【補正対象書類名】明細書
【補正対象項目名】００７１
【補正方法】変更
【補正の内容】
【００７１】
続いてステップ８では、カメラマイコン２０９は、ステップ７で算出したデフォーカス検出像高に対応するフォーカス敏感度とステップ２で検出したデフォーカス量とを用いて、フォーカスレンズ１０５の駆動量（以下、フォーカス駆動量という）を算出する。第２の交換レンズのレンズマイコンから中心フォーカス敏感度を受信した場合（ステップ１２から本ステップに進んだ場合）は、本ステップにおいて、中心フォーカス敏感度とステップ２で検出したデフォーカス量とを用いて、フォーカス駆動量を算出する。
【手続補正１１】
【補正対象書類名】明細書
【補正対象項目名】００８５
【補正方法】変更
【補正の内容】
【００８５】
一方、ステップ４においてフラグを有さない第２の交換レンズがカメラ本体２００に装着されていると判定したカメラマイコン２０９は、ステップ４２に進む。ステップ４２では、カメラマイコン２０９は、指定された像高で検出されたデフォーカス量を第２の交換レンズのレンズマイコンに送信する。第２の交換レンズのレンズマイコンは、受信したデフォーカス量と、第２の交換レンズ内のメモリに保持されている中心フォーカス敏感度とを用いてフォーカス駆動量を算出する。
【手続補正１２】
【補正対象書類名】図面
【補正対象項目名】図５
【補正方法】変更
【補正の内容】
【図５】
2016090798.tif 000001